(57)【要約】【課題】内継手に軒樋の前耳部に係合する前耳部係合部が設けられる場合に、隣接する一対の軒樋の接続端面から雨水の一部が雨垂れのように流れ出ることを防止することができる内継手を提供する。【解決手段】前壁部の上端に前耳部を有する一対の軒樋の端部と端部とを繋ぐ継目の内周面に沿設される内継手１であって、前板部２と、後板部３と、前板部２と後板部３を連結する底板部４を備え、前板部２の上端に両軒樋の前耳部と係合する前耳係合部５を有し、前耳係合部５の係合面にパッキン材８が配設されている。【選択図】図１
2010031518.tif 000002
【特許請求の範囲】
【請求項１】
前壁部の上端に前耳部を有する一対の軒樋の端部と端部とを繋ぐ継目の内周面に沿設される内継手であって、前板部と、後板部と、前板部と後板部を連結する底板部を備え、前板部の上端に両軒樋の前耳部と係合する前耳係合部を有し、前耳係合部の係合面にパッキン材が配設されていることを特徴とする内継手。
【請求項２】
前板部の前耳係合部は、前方に開口する断面が略コ字形の形状を有し、その上部裏面にパッキン材が配設されていることを特徴とする請求項１に記載の内継手。
【発明の詳細な説明】
【技術分野】
【０００１】
本発明は、一対の軒樋の端部と端部とを繋ぐ継目の内周面に沿設される内継手に関するものである。
【背景技術】
【０００２】
従来、住宅の軒先において雨水を排出するために軒樋が設置されているが、軒先の全長に亘って１本の軒樋で施工するには設置長さが長すぎる場合が多々あり、通常は適当な長さの複数の軒樋を内継手のみで、あるいは内継手と外継手との挟持により接続して施工するのが一般的である。
【０００３】
図４は、従来の内継手の一例を示しており、隣接する一対の軒樋の端部に内継手が取り付けられて両軒樋が接続された状態を示している。図５は、図４の軒樋と内継手の接続構造の要部を拡大して示す断面図である。この内継手２３は、前壁部２１の上端に前耳部２２を有する一対の軒樋２０，２０の端部と端部とを繋ぐ継目の内周面に沿設される内継手２３であり、前板部２４と、後板部２５と、前板部２４と後板部２５を連結する底板部２６を備え、前板部２４の上端に両軒樋２０，２０の前耳部２２と係合する断面がコ字形の形状の前耳係合部２７を有する構造となっている。
【０００４】
上記のような内継手２３では、端面を突き合わせて配置した２つの軒樋２０，２０の両端部に跨って取り付けられ、内継手２３の前耳係合部２７が両軒樋２０，２０の前耳部２２に係合することにより両軒樋２０，２０の接続が行われるようになっている。このような構造の内継手２３としては各種のものが提案されており、例えば特許文献１にその一例が開示されている。
【特許文献１】特開２００４−３１６２１５号公報
【発明の開示】
【発明が解決しようとする課題】
【０００５】
上記のような従来の内継手２３は簡単な構造で軒樋２０，２０同士を確実に接続できるものであるが、さらに改善点が見出された。すなわち、軒樋２０の前耳部２２は内継手２３の前耳係合部２７で係合されるが、図５に示すように、その係合部において両者の間にわずかながら隙間４０が生じる場合があり、その隙間４０に雨水の一部が浸入して両軒樋２０，２０の接続端面３０から雨垂れが生じるという問題があった。例えば、図４に沿って説明すると、軒樋２０の前耳部２２上の雨水の一部が毛細管現象により矢印Ａで示す方向に向かって隙間４０に浸入する。浸入した雨水は隣接する一対の軒樋２０，２０の継目に至りその接続端面３０から雨垂れのように流れ出て建物を汚してしまうことがあった。
【０００６】
本発明は、以上のとおりの事情に鑑みてなされたものであり、内継手に軒樋の前耳部に係合する前耳係合部が設けられる場合に、隣接する一対の軒樋の接続端面から雨水の一部が雨垂れのように流れ出ることを防止することができる内継手を提供することを課題としている。
【課題を解決するための手段】
【０００７】
本発明は、上記の課題を解決するために、以下のことを特徴としている。
【０００８】
第１に、本発明は、前壁部の上端に前耳部を有する一対の軒樋の端部と端部とを繋ぐ継目の内周面に沿設される内継手であって、前板部と、後板部と、前板部と後板部を連結する底板部を備え、前板部の上端に両軒樋の前耳部と係合する前耳係合部を有し、前耳係合部の係合面にパッキン材が配設されている。
【０００９】
第２に、上記第１の発明において、前板部の前耳係合部は、前方に開口する断面が略コ字形の形状を有し、その上部裏面にパッキン材が配設されている。
【発明の効果】
【００１０】
上記第１の発明によれば、内継手の前耳係合部の係合面にパッキン材が配設されているので、内継手の前耳係合部が軒樋の前耳部に係合した際の両者間はパッキン材で確実に密封される。その結果、係合部への雨水の浸入がなくなり、隣接する一対の軒樋の接続端面から雨水が雨垂れのように流れ出てしまうことはない。
【００１１】
上記第２の発明によれば、前耳係合部の形状およびパッキン材の設置箇所が特定されるため、係合部への雨水の浸入をより一層効果的に阻止することができる。
【発明を実施するための最良の形態】
【００１２】
本発明は前記のとおりの特徴をもつものであるが、以下に、本発明を実施するための最良の形態を説明する。
【００１３】
図１は本発明の内継手の一実施形態を示す斜視図であり、図２は図１の内継手の要部を拡大して示す断面図であり、図３は隣接する一対の軒樋の端部に内継手が取り付けられて両軒樋が接続された状態を示す断面図である。
【００１４】
本実施形態の内継手１で接続される２つの軒樋１０は、前壁部１１と、後壁部１２と、前壁部１１と後壁部１２を連結する底壁部１３を備え、上方に開口する断面が略コ字形の形状を有している。前壁部１１は、底壁部１３の前端から斜め前上方に起立しており、その上端には、断面が略ロ字形の形状を有する前耳部１４が前壁部１１から内方に所定の間隔をもって突出するようにして配設され、前壁部１１と前耳部１４の間には空隙部１６が形成されている。後壁部１２は、底壁部１３の後端から略垂直に起立しており、その上端には、断面が略ロ字形の形状を有する後耳部１５が内方に配設されている。
【００１５】
本実施形態の内継手１は、隣接する一対の軒樋１０の端部と端部とを繋ぐ継目の内周面に沿設されるものであり、接続しようとする軒樋１０の内側形状に略沿った形状となっている。具体的には、前板部２と、後板部３と、前板部２と後板部３を連結する底板部４を備え、上方に開口する断面が略コ字形の形状を有している。前板部２は、底板部４の前端から斜め前上方に起立しており、その上端には、軒樋１０の前耳部１４と係合する前耳係合部５が内方に配設されている。前板部２と前耳係合部５との間の曲部には、上方に突出する前耳係止部６が設けられており、軒樋１０の空隙部１６に嵌挿されて前耳部１４が係止される。前耳係合部５は、前方に開口する断面が略コ字形の形状を有し、軒樋１０の前耳部１４との係合面である上部裏面５１にパッキン材８が接着剤等により貼着されている。パッキン材８の材質は、特に限定されるものではなく各種のものを用いることができる。例えば耐水性および耐候性に優れたＥＰＤＭ、ＥＰＭ、シリコーンゴム等を例示することができる。前耳係合部５の後面５２から斜め後上方に板状部１７が配設されており、軒樋１０への内継手１の取付作業を容易にするための取手として機能する。後板部３は、底板部４の後端から略垂直に起立しており、その上端には、軒樋１０の後耳部１５の下側面部１５１と当接し、後耳部１５を係止する後耳係止部７が配設されている。
【００１６】
また本実施形態の内継手１は、前板部２と後板部３の間に支持板部９が架設されており、内継手１が撓まないように補強されて形状が維持できるようになっている。
【００１７】
上記軒樋１０や内継手１は、合成樹脂を用いて一体に押出成形等により製造することができるが、合成樹脂以外にも、樹脂被覆金属板、ステンレス鋼板、銅板、アルミニウム板等を用いて製造することができる。
【００１８】
上記のような構造を有する本実施形態の内継手１は、端面を突き合わせて配置した２つの軒樋１０の端部に跨り継目を覆うように両軒樋１０の内面側に取り付けられる。その際に軒樋１０の前耳部１４を内継手１の前耳係合部５で包み込むようにして係合させることにより、両軒樋１０が保持されて接続される。内継手１の前耳係合部５の係合面にはパッキン材８が配設されているので、内継手１の前耳係合部５と軒樋１０の前耳部１４との係合部はパッキン材８で確実に密封される。その結果、係合部への雨水の浸入がなくなり両軒樋１０の継目に至ることもなくなるので、接続端面から雨水が雨垂れのように流れ出ることはない。またこの内継手１の取り付けによって、内継手１の前耳係止部６が軒樋１０の空隙部１６に嵌挿されるとともに内継手１の後耳係止部７が軒樋１０の後耳部１５の下側面部１５１に当接することにより、軒樋１０の前耳部１４と後耳部１５がそれぞれ係止されるため、より確実に両軒樋１０が接続される。
【００１９】
以上、実施形態に基づき本発明を説明したが、本発明は上記の実施形態に何ら限定されるものではなく、その要旨を逸脱しない範囲内において各種の変更が可能である。例えば、本実施形態では、内継手の前耳係合部の上部裏面にパッキン材を配設しているが、係合面全体に亘って配設していてもよい。
【図面の簡単な説明】
【００２０】
【図１】本発明の内継手の一実施形態を示す斜視図である。
【図２】図１の内継手の要部を拡大して示す断面図である。
【図３】隣接する一対の軒樋の端部に内継手が取り付けられて両軒樋が接続された状態を示す断面図である。
【図４】従来の内継手が隣接する一対の軒樋の端部に取り付けられて両軒樋が接続された状態を示す斜視図である。
【図５】図４の軒樋と内継手の接続構造の要部を拡大して示す断面図である。
【符号の説明】
【００２１】
１  内継手
２  前板部
３  後板部
４  底板部
５  前耳係合部
５１  上部裏面
８  パッキン材
１０  軒樋
１１  前壁部
１４  前耳部
【図１】
2010031518.tif 000003
【図２】
2010031518.tif 000004
【図３】
2010031518.tif 000005
【図４】
2010031518.tif 000006
【図５】
2010031518.tif 000007